【手続補正書】
【提出日】平成17年12月22日(2005.12.22)
【手続補正１】
【補正対象書類名】明細書
【補正対象項目名】特許請求の範囲
【補正方法】変更
【補正の内容】
【特許請求の範囲】
【請求項１】  ネットワークを介して外部から穀物に関する検索条件を受信する第１の段階と、
該第１の段階により受信した前記検索条件に従って、生産者別マスタデータベースに記憶された穀物に関する穀物特徴情報を検索する第２の段階と、
該第２の段階により検索された穀物特徴情報を前記ネットワークを介して前記外部に送信する第３の段階とを有することを特徴とする穀物情報提供方法。
【請求項２】  ネットワークを介して外部から穀物に関する検索条件を受信する第１の手段と、
該第１の手段により受信した前記検索条件に従って、生産者別マスタデータベースに記憶された穀物に関する穀物特徴情報を検索する第２の手段と、
該第２の手段によって検索された穀物特徴情報を前記ネットワークを介して前記外部に送信する第３の手段とを有することを特徴とする穀物情報提供サーバ。
【請求項３】  前記穀物情報提供サーバは更に、外部から前記ネットワークを介して依頼を受けた穀物に関する評価又は要望を入力するための帳票を生成し、生成した該帳票を前記ネットワークを介して前記外部に送信する第４の手段を有することを特徴とする請求項２記載の穀物情報提供サーバ。
【請求項４】  前記穀物情報提供サーバは更に、外部から前記ネットワークを介して穀物の注文を受けた際に、注文内容に応じた穀物の出荷情報をグレインプロセッサを制御する情報処理装置に出力する第５の手段を有することを特徴とする請求項２又は３記載の穀物情報提供サーバ。
【請求項５】  前記穀物情報提供サーバは更に、外部から前記ネットワークを介して穀物の注文を受けた際に、注文内容に基づいて、前記生産者別マスタデータベースを参照し、注文を受けた穀物の販売価格を算出し、算出した該販売価格を前記ネットワークを介して前記外部に送信する第６の手段を有することを特徴とする請求項２から４のいずれか一項に記載の穀物情報提供サーバ。
【請求項６】  前記穀物情報提供サーバは更に、前記帳票を介して取得した情報及び生産指導データベースに記憶された生産条件情報に基づいて、生産者に対する穀物の生産指示情報を生成し、生成した該生産指示情報を前記所定のネットワークを介して外部に送信する第７の手段を有することを特徴とする請求項２から５のいずれか一項に記載の穀物情報提供サーバ。
【請求項７】  前記穀物情報提供サーバは更に、外部から前記ネットワークを介して受信した穀物特徴情報を前記生産者別マスタデータベースに登録する第８の手段を有することを特徴とする請求項２から６のいずれか一項に記載の穀物情報提供サーバ。
【請求項８】  前記穀物特徴情報は、前記穀物の生産条件を含むことを特徴とする請求項７記載の穀物情報提供サーバ。
【請求項９】  情報処理装置と、該情報処理装置にネットワークを介して接続された穀物情報提供サーバとを有し、該穀物情報提供サーバは、請求項２から８のいずれか一項に記載された穀物情報提供サーバであることを特徴とする穀物情報提供システム。
【請求項１０】  穀物情報提供サーバと、ネットワークを介して穀物に関する検索条件を前記穀物情報提供サーバに送信する購入者端末と、グレインプロセッサを制御する情報処理装置と、穀物の生産指示情報を前記穀物情報提供サーバから受信するとともに、穀物特徴情報を前記穀物情報提供サーバに送信する生産者端末とから構成される穀物情報提供システムであって、
前記穀物情報提供サーバは、
前記購入者端末から受信した前記検索条件に従って、生産者別マスタデータベースに記憶された穀物に関する穀物特徴情報を検索し、検索された該穀物特徴情報を前記購入者端末に送信する手段と、
前記購入者端末から穀物の注文を受けた際に、注文内容に応じた穀物の出荷情報を前記情報処理装置に出力する手段と、
生産指示データベースの情報から生成した生産指示情報を前記生産者端末に送信する手段と、
前記生産者端末から生産した穀物に関する穀物特徴情報を受信する手段とを有することを特徴とする穀物情報提供システム。
【請求項１１】  穀物に関する穀物特徴情報を外部に提供するためにコンピュータを、
外部から穀物に関する検索条件を取得する第１の手段、
該第１の手段により取得した前記検索条件に従って、生産者別マスタデータベースに記憶された穀物に関する穀物特徴情報を検索する第２の手段、
該第２の手段によって検索された穀物特徴情報を前記外部に出力する第３の手段として機能させるための穀物情報提供プログラム。
【手続補正２】
【補正対象書類名】明細書
【補正対象項目名】００１１
【補正方法】変更
【補正の内容】
【００１１】
【課題を解決するための手段】
上記課題を解決するために、本発明の穀物情報提供方法は、ネットワークを介して外部から穀物に関する検索条件を受信する第１の段階と、該第１の段階により受信した前記検索条件に従って、生産者別マスタデータベースに記憶された穀物に関する穀物特徴情報を検索する第２の段階と、該第２の段階により検索された穀物特徴情報を前記ネットワークを介して前記外部に送信する第３の段階とを有することを特徴とする。
【手続補正３】
【補正対象書類名】明細書
【補正対象項目名】００１２
【補正方法】変更
【補正の内容】
【００１２】
上記発明によれば、外部から穀物に関する検索条件を受信し、受信した検索条件に従って、生産者別マスタデータベースに記憶された穀物に関する穀物特徴情報を検索して、検索された穀物特徴情報を外部に送信するようにしたので、購入者の多様なニーズに応える地域の特性を活かした穀物作りを行う生産者（農家又は経営体）が生産した穀物に関する穀物特徴情報を購入者に提供することができる。
【手続補正４】
【補正対象書類名】明細書
【補正対象項目名】００１３
【補正方法】変更
【補正の内容】
【００１３】
また、上記穀物情報提供方法は、更に、前記ネットワークを介して外部から依頼を受けた穀物に関する評価又は要望を入力するための帳票を生成し、生成した該帳票を前記ネットワークを介して前記外部に送信する第４の段階を有する構成とすることができる。本発明によれば、外部からの依頼により帳票を生成し、生成した帳票を外部に送信するようにしたので、購入者から評価、要望等を取得することができる。
【手続補正５】
【補正対象書類名】明細書
【補正対象項目名】００１４
【補正方法】変更
【補正の内容】
【００１４】
また、上記穀物情報提供方法は、更に、外部から前記ネットワークを介して穀物の注文を受けた際に、注文内容に応じた穀物の出荷情報をグレインプロセッサを制御する情報処理装置に出力する第５の段階を有する構成とすることができる。本発明によれば、情報処理装置に穀物の出荷情報を出力して、グレインプロセッサを制御することができる。
【手続補正６】
【補正対象書類名】明細書
【補正対象項目名】００１５
【補正方法】変更
【補正の内容】
【００１５】
また、上記穀物情報提供方法は、更に、外部から前記ネットワークを介して穀物の注文を受けた際に、注文内容に基づいて、前記生産者別マスタデータベースを参照し、注文を受けた穀物の販売価格を算出し、算出した該販売価格を前記ネットワークを介して前記外部に送信する第６の段階を有する構成とすることができる。本発明によれば、購入者は、外部（購入者端末）から販売価格を知ることができる。
【手続補正７】
【補正対象書類名】明細書
【補正対象項目名】００１６
【補正方法】変更
【補正の内容】
【００１６】
また、上記穀物情報提供方法は、更に、前記帳票を介して取得した情報及び生産指導データベースに記憶された生産条件情報に基づいて、生産者に対する穀物の生産指示情報を生成し、生成した該生産指示情報を前記所定のネットワークを介して外部に送信する第７の段階を有する構成とすることができる。
【手続補正８】
【補正対象書類名】明細書
【補正対象項目名】００１７
【補正方法】変更
【補正の内容】
【００１７】
本発明によれば、帳票を介して取得した情報及び生産指導データベースに記憶された生産条件情報に基づいて、生産者に対する穀物の生産指示情報を生成し、生成した生産指示情報を外部（生産者）に送信するようにしたので、生産者は購入者のニーズを得ることができる。これにより、生産者は生産指示情報に基づいて、作付け栽培を行うことにより、購入者のニーズにあった穀物を生産することができる。すなわち、生産者に対し、穀物に対する購入者のニーズや評価と生産環境を踏まえた生産指導を行うための情報を提供できる。
【手続補正９】
【補正対象書類名】明細書
【補正対象項目名】００１８
【補正方法】変更
【補正の内容】
【００１８】
また、上記穀物情報提供方法は、更に、外部から前記ネットワークを介して受信した穀物特徴情報を前記生産者別マスタデータベースに登録する第８の段階を有する構成とすることができる。本発明によれば、外部から受信した穀物特徴情報を生産者別マスタデータベースに登録するようにしたので、何時、何処で、誰が、どんな生産をしたのか等を示す穀物特徴情報を購入者に提供することができる。
【手続補正１０】
【補正対象書類名】明細書
【補正対象項目名】００１９
【補正方法】変更
【補正の内容】
【００１９】
また、上記穀物情報提供方法において、前記穀物特徴情報は、前記穀物の生産条件を含む構成とすることができる。
【手続補正１１】
【補正対象書類名】明細書
【補正対象項目名】００２０
【補正方法】変更
【補正の内容】
【００２０】
また、本発明による穀物情報提供サーバは、ネットワークを介して外部から穀物に関する検索条件を受信する第１の手段と、該第１の手段により受信した前記検索条件に従って、生産者別マスタデータベースに記憶された穀物に関する穀物特徴情報を検索する第２の手段と、該第２の手段によって検索された穀物特徴情報を前記ネットワークを介して前記外部に送信する第３の手段とを有することを特徴とする。
【手続補正１２】
【補正対象書類名】明細書
【補正対象項目名】００２１
【補正方法】変更
【補正の内容】
【００２１】
本発明によれば、外部（購入者）から穀物に関する検索条件を受信し、受信した検索条件に従って、生産者別マスタデータベースに記憶された穀物に関する穀物特徴情報を検索して、検索された穀物特徴情報を外部に送信するようにしたので、購入者の多様なニーズに応える地域の特性を活かした穀物作りを行う生産者（農家又は経営体）が生産した穀物に関する穀物特徴情報を購入者に提供することができる。
【手続補正１３】
【補正対象書類名】明細書
【補正対象項目名】００２２
【補正方法】変更
【補正の内容】
【００２２】
上記穀物情報提供サーバは、更に、外部から前記ネットワークを介して依頼を受けた穀物に関する評価又は要望を入力するための帳票を生成し、生成した該帳票を前記ネットワークを介して前記外部に送信する第４の手段を有する構成とすることができる。本発明によれば、外部からの依頼により帳票を生成し、生成した帳票を外部に送信するようにしたので、購入者から評価、要望等を取得することができる。
【手続補正１４】
【補正対象書類名】明細書
【補正対象項目名】００２３
【補正方法】変更
【補正の内容】
【００２３】
また、上記穀物情報提供サーバは、更に、外部から前記ネットワークを介して穀物の注文を受けた際に、注文内容に応じた穀物の出荷情報をグレインプロセッサを制御する情報処理装置に出力する第５の手段を有する構成とすることができる。本発明によれば、情報処理装置に穀物の出荷情報を出力して、グレインプロセッサを制御することができる。
【手続補正１５】
【補正対象書類名】明細書
【補正対象項目名】００２４
【補正方法】変更
【補正の内容】
【００２４】
また、上記穀物情報提供サーバは、更に、外部から前記ネットワークを介して穀物の注文を受けた際に、注文内容に基づいて、前記生産者別マスタデータベースを参照し、注文を受けた穀物の販売価格を算出し、算出した該販売価格を前記ネットワークを介して前記外部に送信する第６の手段を有する構成とすることができる。本発明によれば、購入者は、外部（購入者端末）から販売価格を知ることができる。
【手続補正１６】
【補正対象書類名】明細書
【補正対象項目名】００２５
【補正方法】変更
【補正の内容】
【００２５】
また、上記穀物情報提供サーバは、更に、前記帳票を介して取得した情報及び生産指導データベースに記憶された生産条件情報に基づいて、生産者に対する穀物の生産指示情報を生成し、生成した該生産指示情報を前記所定のネットワークを介して外部に送信する第７の手段を有する構成とすることができる。
【手続補正１７】
【補正対象書類名】明細書
【補正対象項目名】００２６
【補正方法】変更
【補正の内容】
【００２６】
本発明によれば、帳票を介して取得した情報及び生産指導データベースに記憶された生産条件情報に基づいて、生産者に対する穀物の生産指示情報を生成し、生成した生産指示情報を外部（生産者）に送信するようにしたので、生産者は購入者の評価、要望等にあった生産を行うための情報を得ることができる。これにより、生産者は生産指示情報に基づいて、作付け栽培を行うことにより、購入者のニーズにあった穀物を生産することができる。すなわち、生産者に対し、穀物に対する購入者のニーズや評価と生産環境を踏まえた生産指導を行うための情報を提供できる。
【手続補正１８】
【補正対象書類名】明細書
【補正対象項目名】００２７
【補正方法】変更
【補正の内容】
【００２７】
上記穀物情報提供サーバは、更に、外部から前記ネットワークを介して受信した穀物特徴情報を前記生産者別データベースに登録する第８の手段を有する構成とすることができる。本発明によれば、外部から受信した穀物特徴情報を生産者別データベースに登録するようにしたので、何時、何処で、誰が、どんな栽培をしたのか等を示す穀物特徴情報を購入者に提供することができる。
【手続補正１９】
【補正対象書類名】明細書
【補正対象項目名】００２８
【補正方法】変更
【補正の内容】
【００２８】
また、上記穀物情報提供サーバにおいて、前記穀物特徴情報は、前記穀物の生産条件を含む構成とすることができる。
【手続補正２０】
【補正対象書類名】明細書
【補正対象項目名】００２９
【補正方法】変更
【補正の内容】
【００２９】
また、本発明の穀物情報提供システムは、情報処理装置と、該情報処理装置にネットワークを介して接続された穀物情報提供サーバとを有し、該穀物情報提供サーバは、上記記載の穀物情報提供サーバであることを特徴とする。
【手続補正２１】
【補正対象書類名】明細書
【補正対象項目名】００３０
【補正方法】変更
【補正の内容】
【００３０】
また、本発明の穀物情報提供システムは、穀物情報提供サーバと、ネットワークを介して穀物に関する検索条件を前記穀物情報提供サーバに送信する購入者端末と、グレインプロセッサを制御する情報処理装置と、穀物の生産指示情報を前記穀物情報提供サーバから受信するとともに、穀物特徴情報を前記穀物情報提供サーバに送信する生産者端末とから構成される穀物情報提供システムであって、前記穀物情報提供サーバは、前記購入者端末から受信した前記検索条件に従って、生産者別マスタデータベースに記憶された穀物に関する穀物特徴情報を検索し、検索された該穀物特徴情報を前記購入者端末に送信する手段と、前記購入者端末から穀物の注文を受けた際に、注文内容に応じた穀物の出荷情報を前記情報処理装置に出力する手段と、生産指示データベースの情報から生成した生産指示情報を前記生産者端末に送信する手段と、前記生産者端末から生産した穀物に関する穀物特徴情報を受信する手段とを有することを特徴とする。
【手続補正２２】
【補正対象書類名】明細書
【補正対象項目名】００３１
【補正方法】変更
【補正の内容】
【００３１】
また、本発明の穀物情報提供プログラムは、穀物に関する穀物特徴情報を外部に提供するためにコンピュータを、外部から穀物に関する検索条件を取得する第１の手段、該第１の手段により取得した前記検索条件に従って、生産者別マスタデータベースに記憶された穀物に関する穀物特徴情報を検索する第２の手段、該第２の手段によって検索された穀物特徴情報を前記外部に出力する第３の手段として機能する。
【手続補正２３】
【補正対象書類名】明細書
【補正対象項目名】００３２
【補正方法】変更
【補正の内容】
【００３２】
上記発明によれば、受信した検索条件に従って、生産者別マスタデータベースに記憶された穀物に関する穀物特徴情報を検索して、検索された穀物特徴情報を外部に出力するようにしたので、購入者の多様なニーズに応える地域の特性を活かした穀物作りを行う生産者（農家又は経営体）が生産した穀物に関する穀物特徴情報を購入者に提供することができる。
【手続補正２４】
【補正対象書類名】明細書
【補正対象項目名】００３３
【補正方法】変更
【補正の内容】
【００３３】
また、上記穀物情報提供プログラムは、更に、前記ネットワークを介して外部から依頼を受けた該穀物に関する評価又は要望を入力するための帳票を生成し、生成した該帳票を前記外部に出力する第４の手段を有する構成とすることができる。本発明によれば、外部からの依頼により帳票を生成し、生成した帳票を外部に出力するようにしたので、購入者から評価、要望等を取得することができる。
【手続補正２５】
【補正対象書類名】明細書
【補正対象項目名】００３４
【補正方法】変更
【補正の内容】
【００３４】
また、上記穀物情報提供プログラムは、更に、外部から穀物の注文を受けた際に、注文内容に応じた穀物の出荷情報をグレインプロセッサを制御する情報処理装置に出力する第５の手段を有することを特徴とする。本発明によれば、情報処理装置に穀物の出荷情報を出力して、グレインプロセッサを制御することができる。
【手続補正２６】
【補正対象書類名】明細書
【補正対象項目名】００３５
【補正方法】変更
【補正の内容】
【００３５】
また、上記穀物情報提供プログラムは、更に、外部から前記ネットワークを介して穀物の注文を受けた際に、注文内容に基づいて、前記生産者別マスタデータベースを参照し、注文を受けた穀物の販売価格を算出し、算出した該販売価格を前記外部に出力する第６の手段を有する構成とすることができる。本発明によれば、購入者は、外部（購入者端末）から販売価格を知ることができる。
【手続補正２７】
【補正対象書類名】明細書
【補正対象項目名】００３６
【補正方法】変更
【補正の内容】
【００３６】
また、上記穀物情報提供プログラムは、更に、前記帳票を介して取得した情報及び生産指導データベースに記憶された生産条件情報に基づいて、生産者に対する穀物の生産指示情報を生成し、生成した該生産指示情報を外部に出力する第７の手段を有する構成とすることができる。
【手続補正２８】
【補正対象書類名】明細書
【補正対象項目名】００３７
【補正方法】変更
【補正の内容】
【００３７】
本発明によれば、帳票を介して取得した情報及び生産指導データベースに記憶された生産条件情報に基づいて、生産者に対する穀物の生産指示情報を生成し、生成した生産指示情報を外部（生産者）に出力するようにしたので、生産者は購入者の評価、要望等にあった生産を行うための情報を得ることができる。これにより、生産者は生産指示情報に基づいて、作付け栽培を行うことにより、購入者のニーズにあった穀物を生産することができる。すなわち、生産者に対し、穀物に対する購入者のニーズや評価と生産環境を踏まえた生産指導を行うための情報を提供できる。
【手続補正２９】
【補正対象書類名】明細書
【補正対象項目名】００３８
【補正方法】変更
【補正の内容】
【００３８】
また、上記穀物情報提供プログラムは、更に、外部から取得した穀物特徴情報を前記生産者別マスタデータベースに登録する第８の手段を有する構成とすることができる。本発明によれば、外部から受信した穀物特徴情報を生産者別マスタデータベースに登録するようにしたので、何時、何処で、誰が、どんな生産をしたのか等を示す穀物特徴情報を購入者に提供することができる。
【手続補正３０】
【補正対象書類名】明細書
【補正対象項目名】００３９
【補正方法】変更
【補正の内容】
【００３９】
また、上記穀物情報提供プログラムにおいて、前記穀物特徴情報は、前記穀物の生産条件を含む構成とすることができる。